(57)【要約】【課題】施工した後に時間が経過してもはがれることがなく、構造が簡単で安価であるとともに、女性や子どもでも容易に部屋の環境を変えることができる板材を提供することにある。【解決手段】板状の板材（１）の裏面（４）に複数枚の両面粘着テープ（２）を部分的に固着し、板材（１）の側面（５）には一定間隔で配置した線や切り込みによる位置合わせ手段（３）を有し、板材（１）の厚みｔ（１０）を３ｍｍ以上としたことを特徴とする。また、高級感を出すために、板材（１）の角（７）に面取り（８）を施したり、板材（１）の表面（６）に切り込み（９）を施したことを特徴とする。【選択図】    図１
2004316378.tif 000002
【特許請求の範囲】
【請求項１】
板状の板材（１）の裏面（４）に複数枚の両面粘着テープ（２）を固着したことを特徴とする壁板材。
【請求項２】
板状の板材（１）の側面（５）には位置合わせ手段（３）を有することを特徴とする請求項１記載の壁板材
【請求項３】
板材（１）の厚みｔ（１０）を３ｍｍ以上としたことを特徴とする請求項１、請求項２記載の壁板材。
【請求項４】
板材（１）の角（７）に面取り（８）を施したことを特徴とする請求項１、請求項２記載の壁板材。
【請求項５】
板材（１）の表面（６）に切り込み（９）を施したことを特徴とする請求項１、請求項２記載の壁板材。
【発明の詳細な説明】
【０００１】
【発明の属する技術分野】
本発明は、破損した壁の修理時や、部屋の模様替え時等に、子どもや女性でも容易に利用できる壁板材に関する。
【０００２】
【従来の技術】
従来の板材には、所要幅、所要厚、所要材質の板材の一面に接着手段としての両面粘着テープの一面を貼着し、他面に（表面）に同幅の剥離紙を貼着したもの（特許文献１参照）や、板材の裏面もしくは下地材のいずれか一方に両面粘着テープを部分的に貼付し、且つ、上記両面粘着テープよりも厚い厚みを有する発泡体シートを両面粘着テープが貼付されていない所に部分的に配置したもの（特許文献２参照）や、板材の裏面に貼った両面粘着テープの表側粘着剤の表面の一部に粘性物質を盛り上げ塗布したもの（特許文献３参照）等がある。
【特許文献１】特許公開平９−２７３２８７
【特許文献２】特許公開２０００−２２６５５７
【特許文献３】特許公開２００２−１１５３９１
【０００３】
【発明が解決しようとする課題】
従来の板材で、所要幅、所要厚、所要材質の板材の一面に接着手段としての両面粘着テープの一面を貼着し、他面に（表面）に同幅の剥離紙を貼着したものでは、両面粘着テープの使用量が少なかったり、両面粘着テープを貼る位置が適当でない場合は、施工後の時間の経過とともに板材が波打ったり、反ったりして、貼り付けた板材がはがれてくるといった課題を有する。
また、板材の裏面もしくは下地材のいずれか一方に両面粘着テープを部分的に貼付し、且つ、上記両面粘着テープよりも厚い厚みを有する発泡体シートを両面粘着テープが貼付されていない所に部分的に配置したものでは、床材としては適当な方法であるが、壁板材としては両面粘着テープ以外に不要な発泡体シートを必要とするので製造コストが上がり、高価になるといった課題を有する。
さらには、板材の裏面に貼った両面粘着テープの表側粘着剤の表面の一部に粘性物質を盛り上げ塗布したものでは、そうした構造の両面粘着テープを製造することが困難であり、高価になるといった課題を有する。
上記の従来の板材は、いずれも施工業者が施工することを前提にしたものであり、女性や子どもが施工するのは容易でないといった課題を有し、規格通りの施工方法では問題ないが、自由な模様で施工するには位置決め等の目印がなく、施工しにくいといった課題を有する。
そこで本発明の目的は、施工した後に時間が経過しても板材が波打ったり、反ったりしてはがれることがなく、構造が簡単で安価な板材であるとともに、貼り付けるときの位置決めが容易で、女性や子どもでも容易に部屋の環境を変える（リフォーム）ことができる板材を提供することにある。
【０００４】
【課題を解決するための手段】
本発明の壁板材は、板状の板材（１）の裏面（４）に複数枚の両面粘着テープ（２）を部分的に固着したことを特徴とし、板材（１）の側面（５）には一定間隔で配置した線や切り込みによる位置合わせ手段（３）を有し、板材（１）が波打ったり、反ったりしないよう、板材（１）の厚みｔ（１０）を３ｍｍ以上としたことを特徴とする。
また、板材（１）に高級感を出すために、板材（１）の角（７）に面取り（８）を施したり、板材（１）の表面（６）に切り込み（９）を施したことを特徴とする。
【０００５】
【発明の実施の形態】
本発明の実施の形態を図面を参照して説明する。図１は壁板材の斜視図、図２は施工例の斜視図である。
【０００６】
本発明の壁板材の構造は、板状の板材（１）の裏面（４）に複数枚の両面粘着テープ（２）の一面を部分的に固着し、両面粘着テープ（２）の他面は剥離紙を付けたままにしておく。このようにすることにより、板材（１）には通常の両面粘着テープ（２）のみが貼り付けられているのみであるため、構造が簡単であり、安価な板材を提供することができる。
【０００７】
板材（１）の側面（５）には板材（１）を並べて配置する場合に位置合わせが容易なように、一定間隔で配置した線や切り込みによる位置合わせ手段（３）を有しているので、複数枚の板材（１）を並べて施工する際にも板材（１）同士の適当な位置合わせ手段（３）を合わせながら施工することにより、女性や子どもでも容易に部屋の環境を変えることができる。
【０００８】
板材（１）の厚みｔ（１０）を３ｍｍ以上としているには、板材（１）が波打ったり、反ったりして施工後にはがれ落ちないようにするためである。一般に板材（１）の厚みｔ（１０）が３ｍｍ以下の薄さになると、吸湿や乾燥により板材（１）が変形しやすくなる。板材（１）が変形する力は両面粘着テープ（２）の粘着力より大きくなるので、板材（１）がはがれ落ちることになる。これを防止するには板材（１）の厚みｔ（１０）を３ｍｍ以上とすることで防止できるのである。
【０００９】
また、板材（１）に高級感を出すために、板材（１）の角（７）に斜面状や円弧上の面取り（８）を施したり、板材（１）の表面（６）に模様となるような切り込み（９）を施している。
【００１０】
本発明の壁板材の使い方としては、壁全体に貼り付けるのではなく、壁の一部分にこの壁板材を利用することが望ましい。壁の汚れた部分に本発明の壁板材を貼り付けて汚れ隠しにしたり、同じ色や模様の壁に本発明の壁板材を部分的に用いることにより気分転換等ができるのである。
【００１１】
本発明の壁板材の施工方法は、１枚目の板材（１）の両面粘着テープ（２）の剥離紙を剥がし、所定の位置に押し付けて貼り付け、２枚目の板材（１）は、１枚目の板材（１）と２枚目の板材（１）のそれぞれ適当な位置合わせ手段（３）の位置を確認しながら、横に並べて貼り付ける。以降、必要枚数を必要な形状になるように、位置合わせ手段（３）を利用しながら並べて貼り付ければ良い。
【００１２】
本発明の壁板材はこのように簡単に施工できるとともに、板材（１）を白木の板とすれば、ホルムアルデヒド等の有害物質の発生を防ぎ、シックハウス症候群等の対策にもなる。また、板材（１）の幅は数ｃｍ程度であるので、通常は不要な木として捨てられている間伐材を利用することができるので、環境破壊等にも貢献できる。
【００１３】
【発明の効果】
以上説明したように、本発明の壁板材を用いれば、貼った後で時間が経過しても板材が波打ったり、反ったりしてはがれることがなく、構造が簡単で安価な板材を提供することができ、貼り付けるときの位置決めが容易で、女性や子どもでも容易に部屋の環境を変える（リフォーム）ことができる板材を提供することができるといった効果を有する。
また、ホルムアルデヒド等の有害物質の発生を防いでシックハウス症候群等の対策が可能であり、間伐材を使用することができるので、環境破壊にも貢献できるといった効果を有する。
【図面の簡単な説明】
【図１】壁板材の斜視図
【図２】図２は施工例の斜視図
【符号の説明】
１．板材
２．両面粘着テープ
３．位置合わせ手段
４．裏面
５．側面
６．表面
７．角
８．面取り
９．切り込み
１０．厚みｔ
【図１】
2004316378.tif 000003
【図２】
2004316378.tif 000004